【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
食器収納庫と食器収納庫内の洗浄水を食器収納庫内に配置された洗浄ノズルに圧送し食器収納庫内の食器類を洗浄する洗浄手段と、食器収納庫内の洗浄水を機外に排出する排水手段と、乾燥工程時に食器収納庫内の食器等の乾燥を行う乾燥手段と、換気工程時に食器収納庫内の換気を行う換気手段と、洗浄手段にて食器類への洗浄水の噴射を行う洗い・すすぎ工程、乾燥手段による食器類への送風を行う乾燥工程、換気手段にて食器収納庫内の換気を行う換気工程の各々の工程を制御する制御手段を備え、前記換気工程は洗い工程・すすぎ工程・乾燥工程の設定および動作に関係なく独立して設定可能としたことを特徴とする食器洗い乾燥機。
【請求項２】
洗い工程・すすぎ工程、乾燥工程の何れかの工程が開始されると換気工程動作を終了することを特徴とする請求項１記載の食器洗い乾燥機。
【請求項３】
洗い工程・すすぎ工程、乾燥工程の何れかの工程実行中は換気工程の動作を停止することを特徴とする請求項１記載の食器洗い乾燥機。
【請求項４】
換気工程は換気工程開始から一定時間経過するまで行うことを特徴とする請求項１〜３何れか一項に記載の食器洗い乾燥機。
【請求項５】
換気工程を行う際には、換気手段を断続的に動作させることを特徴とする請求項１〜４何れか一項に記載の食器洗い乾燥機。
【請求項６】
換気手段としての送風ファンを備え、換気工程中の送風ファンからの噴出される風量は、乾燥工程時に送風ファンから噴出される風量と異なることを特徴とする請求項１〜５何れか一項に記載の食器洗い乾燥機。
【請求項７】
蓋の開閉状態を検出する蓋開閉検出手段、蓋の開度を検出する蓋開度検出手段、食器収納庫内部の温度を検出する食器収納庫内温度検出手段、食器収納庫内部の湿度を検出する食器収納庫内湿度検出手段、食器収納庫内部の臭気成分を検出する食器収納庫内臭気検出手段の少なくとも１つの検出手段を備え、前記蓋開閉検出手段によって検出される蓋開閉状態、前記蓋開度検出手段によって検出される蓋の開度、前記食器収納庫内温度検出手段によって検出される食器収納庫内部の温度、前記食器収納庫内湿度検出手段によって検出される食器収納庫内部の湿度、前記食器収納庫内臭気検出手段によって検出される食器収納庫内部の臭気量の少なくとも１つの状態に応じて換気工程実行中の換気手段の動作状態を変えることを特徴とする請求項１〜６何れか一項に記載の食器洗い乾燥機。
【請求項８】
前記蓋開閉検出手段によって蓋が開けられたことを検出すると、換気動作を停止することを特徴とする請求項７記載の食器洗い乾燥機。
【請求項９】
前記蓋開閉検出手段によって蓋が開けられたことを検出すると、断続的に動作する換気手段の断続のパターンを変えることを特徴とする請求項７記載の食器洗い乾燥機。
【手続補正２】
【補正対象書類名】明細書
【補正対象項目名】０００７
【補正方法】変更
【補正の内容】
【０００７】
【課題を解決するための手段】
上記課題を解決するために、請求項１では、食器収納庫と食器収納庫内の洗浄水を食器収納庫内に配置された洗浄ノズルに圧送し食器収納庫内の食器類を洗浄する洗浄手段と、食器収納庫内の洗浄水を機外に排出する排水手段と、乾燥工程時に食器収納庫内の食器等の乾燥を行う乾燥手段と、換気工程時に食器収納庫内の換気を行う換気手段と、洗浄手段にて食器類への洗浄水の噴射を行う洗い・すすぎ工程、乾燥手段による食器類への送風を行う乾燥工程、換気手段にて食器収納庫内の換気を行う換気工程の各々の工程を制御する制御手段を備え、前記換気工程は洗い工程・すすぎ工程・乾燥工程の設定および動作に関係なく独立して設定可能としたことを特徴とする。
【手続補正３】
【補正対象書類名】明細書
【補正対象項目名】０００８
【補正方法】変更
【補正の内容】
【０００８】
請求項２では、洗い工程・すすぎ工程、乾燥工程の何れかの工程が開始されると換気工程動作を終了することを特徴とする。
【手続補正４】
【補正対象書類名】明細書
【補正対象項目名】０００９
【補正方法】変更
【補正の内容】
【０００９】
請求項３では、洗い工程・すすぎ工程、乾燥工程の何れかの工程実行中は換気工程の動作を停止することを特徴とする。
【手続補正５】
【補正対象書類名】明細書
【補正対象項目名】００１０
【補正方法】変更
【補正の内容】
【００１０】
請求項４では、換気工程は換気工程開始から一定時間経過するまで行うことを特徴とする。
【手続補正６】
【補正対象書類名】明細書
【補正対象項目名】００１１
【補正方法】変更
【補正の内容】
【００１１】
請求項５では、換気工程を行う際には、換気手段を断続的に動作させることを特徴とする。
【手続補正７】
【補正対象書類名】明細書
【補正対象項目名】００１２
【補正方法】変更
【補正の内容】
【００１２】
請求項６では、換気手段としての送風ファンを備え、換気工程中の送風ファンからの噴出される風量は、乾燥工程時に送風ファンから噴出される風量と異なることを特徴とする。
【手続補正８】
【補正対象書類名】明細書
【補正対象項目名】００１３
【補正方法】変更
【補正の内容】
【００１３】
請求項７では、蓋の開閉状態を検出する蓋開閉検出手段、蓋の開度を検出する蓋開度検出手段、食器収納庫内部の温度を検出する食器収納庫内温度検出手段、食器収納庫内部の湿度を検出する食器収納庫内湿度検出手段、食器収納庫内部の臭気成分を検出する食器収納庫内臭気検出手段の少なくとも１つの検出手段を備え、前記蓋開閉検出手段によって検出される蓋開閉状態、前記蓋開度検出手段によって検出される蓋の開度、前記食器収納庫内温度検出手段によって検出される食器収納庫内部の温度、前記食器収納庫内湿度検出手段によって検出される食器収納庫内部の湿度、前記食器収納庫内臭気検出手段によって検出される食器収納庫内部の臭気量の少なくとも１つの状態に応じて換気工程実行中の換気手段の動作状態を変えることを特徴とする。
【手続補正９】
【補正対象書類名】明細書
【補正対象項目名】００１４
【補正方法】変更
【補正の内容】
【００１４】
請求項８では、前記蓋開閉検出手段によって蓋が開けられたことを検出すると、換気動作を停止することを特徴とする。
【手続補正１０】
【補正対象書類名】明細書
【補正対象項目名】００１５
【補正方法】変更
【補正の内容】
【００１５】
請求項９では、前記蓋開閉検出手段によって蓋が開けられたことを検出すると、断続的に動作する換気手段の断続のパターンを変えることを特徴とする。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００３６
【補正方法】変更
【補正の内容】
【００３６】
【発明の効果】
本発明は前述してきた説明から明らかなように、請求項１においては、換気工程は洗い工程・すすぎ工程・乾燥工程の設定および動作に関係なく独立して設定可能としたことによって、また、請求項２においては、洗い工程・すすぎ工程、乾燥工程の何れかの工程が開始されると換気工程動作を終了することによって、食器収納庫内に収納された食器等への水分および臭いの付着、食器収納庫内のカビの発生等を防止する換気の設定状態を気にすることなく、洗い・すすぎ・乾燥を実行することが可能となり、使い勝手の良い食器洗い乾燥機の提供が可能となる。
【手続補正１５】
【補正対象書類名】明細書
【補正対象項目名】００３７
【補正方法】変更
【補正の内容】
【００３７】
請求項３においては、洗い工程・すすぎ工程、乾燥工程の何れかの工程実行中は換気工程の動作を停止することによって、食器収納庫内に収納された食器等への水分および臭いの付着、食器収納庫内のカビの発生等を防止する換気の設定状態を気にすることなく、洗い・すすぎ・乾燥を実行することが可能となるだけでなく、換気の設定を都度行う必要も無くなり、より使い勝手の良い食器洗い乾燥機の提供が可能となる。
【手続補正１６】
【補正対象書類名】明細書
【補正対象項目名】００３８
【補正方法】変更
【補正の内容】
【００３８】
請求項４においては、換気工程は換気工程開始から一定時間経過するまで行うことにより、請求項５においては、換気工程を行う際には、換気手段を断続的に動作させることにより、請求項６においては、換気手段としての送風ファンを備え、換気工程中の送風ファンからの噴出される風量は、乾燥工程時に送風ファンから噴出される風量と異なることにより、食器収納庫内に収納された食器等への水分および臭いの付着、食器収納庫内のカビの発生等を防止する換気工程のランニングコストの低減が可能となる。
【手続補正１７】
【補正対象書類名】明細書
【補正対象項目名】００３９
【補正方法】変更
【補正の内容】
【００３９】
請求項７においては、  蓋の開閉状態を検出する蓋開閉検出手段、蓋の開度を検出する蓋開度検出手段、食器収納庫内部の温度を検出する食器収納庫内温度検出手段、食器収納庫内部の湿度を検出する食器収納庫内湿度検出手段、食器収納庫内部の臭気成分を検出する食器収納庫内臭気検出手段の少なくとも１つの検出手段を備え、前記蓋開閉検出手段によって検出される蓋開閉状態、前記蓋開度検出手段によって検出される蓋の開度、前記食器収納庫内温度検出手段によって検出される食器収納庫内部の温度、前記食器収納庫内湿度検出手段によって検出される食器収納庫内部の湿度、前記食器収納庫内臭気検出手段によって検出される食器収納庫内部の臭気量の少なくとも１つの状態に応じて換気工程実行中の換気手段の動作状態を変えることによって、請求項８においては、前記蓋開閉検出手段によって蓋が開けられたことを検出すると、換気動作を停止することによって、請求項９においては、前記蓋開閉検出手段によって蓋が開けられたことを検出すると、断続的に動作する換気手段の断続のパターンを変えることによって、多くの換気量を必要な場合や、少ない換気量で良い場合や、換気を必要としない場合等の状況に応じて無駄なく換気を行うことができるとともに換気中のランニングコストの節約が可能となる。
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】